(57)【要約】【課題】  表示画面上の所望の表示情報の取り出し及び表示画面への表示情報の書き込みを直接的かつ簡易に行うことができる情報表示システムおよび情報表示方法を提供する。【解決手段】  ユーザが記録媒体１を表示装置２の表示画面に表示されている表示情報にかざし、操作部１４から操作指示を行う。その操作指示が記録媒体１から表示装置２に送られる。操作指示が読み出しの場合、表示装置２の表示制御部２２は、位置検出部２４で検出した表示画面上の記録媒体１の位置をもとに、その位置に表示している表示情報に対応するデジタル情報を記録媒体１に送信する。また操作指示が書き込みの場合、表示制御部２２は、記録媒体１から受け取ったデジタル情報に対応する表示情報を位置検出部２４で検出した表示画面上の記録媒体１の位置に表示する。【選択図】  図１
2005100050.tif 000002
【特許請求の範囲】
【請求項１】
可搬性の記録媒体と、１ないし複数の表示情報を表示可能な表示装置を含む情報表示システムにおいて、前記記録媒体は、前記表示装置との通信を行う媒体側通信手段と、前記デジタル情報を記憶する記憶手段と、ユーザによる操作指示を受け取る操作手段を有し、前記通信手段は前記操作手段による操作指示を前記表示装置に送信し、前記表示装置は、１ないし複数の表示情報を表示画面上に表示する表示手段と、前記記録媒体との通信を行う通信手段と、前記表示手段の表示画面上における前記記録媒体の位置を検出する位置検出手段と、前記記録媒体から前記通信手段を通じて前記操作指示として表示情報の読み出しの指示を受け取ったとき前記位置検出手段によって検出された前記記録媒体の位置に表示されている表示情報に対応するデジタル情報を前記記録媒体へ前記通信手段から送信するように制御する制御手段を有することを特徴とする情報表示システム。
【請求項２】
可搬性の記録媒体と、１ないし複数の表示情報を表示可能な表示装置を含む情報表示システムにおいて、前記記録媒体は、前記表示装置との通信を行う媒体側通信手段と、前記デジタル情報を記憶する記憶手段と、ユーザによる操作指示を受け取る操作手段を有し、前記通信手段は前記操作手段による操作指示を前記表示装置に送信し、前記表示装置は、１ないし複数の表示情報を表示画面上に表示する表示手段と、前記記録媒体との通信を行う通信手段と、前記表示手段の表示画面上における前記記録媒体の位置を検出する位置検出手段と、前記記録媒体から前記通信手段を通じて前記操作指示として表示手段への表示の指示を受け取ったとき同じく前記記録媒体から受け取ったデジタル情報に対応する表示情報を前記位置検出手段によって検出された前記表示手段の表示画面上における前記記録媒体の位置に表示するように制御する制御手段を有することを特徴とする情報表示システム。
【請求項３】
前記制御手段は、前記表示情報を前記位置検出手段によって検出された前記表示手段の表示画面上における前記記録媒体の位置に表示するか、あるいは前記位置に関係なく表示するかを切り替え可能に構成されていることを特徴とする請求項２に記載の情報表示システム。
【請求項４】
前記記録媒体は、前記記憶手段を含み携行可能な可搬手段と、前記媒体側通信手段及び前記操作手段を含む補助手段とが分離可能に構成されていることを特徴とする請求項１ないし請求項３のいずれか１項に記載の情報表示システム。
【請求項５】
前記補助手段には、複数の可搬手段を装着可能であることを特徴とする請求項４に記載の情報表示システム。
【請求項６】
前記補助手段に複数の可搬手段が装着されている場合に、前記媒体側通信手段は、それぞれの前記可搬手段中の前記記憶手段に記憶されているデジタル情報を一括して前記表示装置に送信することを特徴とする請求項５に記載の情報表示システム。
【請求項７】
前記補助手段に複数の可搬手段が装着されている場合に、前記媒体側通信手段は、それぞれの前記可搬手段中の前記記憶手段に記憶されているデジタル情報を前記操作手段が受け取ったユーザからの操作指示に従って順に前記表示装置に送信して前記表示装置の表示を順次変更させることを特徴とする請求項５に記載の情報表示システム。
【請求項８】
前記補助手段に複数の可搬手段が装着されており、前記表示装置の表示手段に複数の表示情報が表示されている場合に、前記媒体側通信手段は、前記表示装置から前記複数の表示情報に対応するデジタル情報を受け取ってそれぞれの表示情報に対応するデジタル情報ごとにそれぞれの可搬手段中の記憶手段に書き込むことを特徴とする請求項５に記載の情報表示システム。
【請求項９】
前記記録媒体は表示情報の表示を行う媒体表示手段を有しており、前記記憶手段に記憶されているデジタル情報に対応する表示情報が前記媒体表示手段に表示されることを特徴とする請求項１ないし請求項８のいずれか１項に記載の情報表示システム。
【請求項１０】
可搬性の記録媒体と、１ないし複数の表示情報を表示可能な表示装置を含む情報表示システムにおける情報表示方法において、前記記録媒体に設けられた操作手段による操作指示を前記記録手段から前記表示装置に送信し、前記表示装置は、前記操作指示として表示情報の読み出しの指示を受け取ったとき、表示画面上における前記記録媒体の位置を検出し、検出された前記記録媒体の位置に表示されている表示情報に対応するデジタル情報を前記記録媒体へ送信することを特徴とする情報表示方法。
【請求項１１】
可搬性の記録媒体と、１ないし複数の表示情報を表示可能な表示装置を含む情報表示システムにおける情報表示方法において、前記記録媒体に設けられた操作手段による操作指示を前記記録手段から前記表示装置に送信し、前記表示装置は、記録媒体から操作指示として表示情報の表示の指示を受け取ったとき、表示画面上における前記記録媒体の位置を検出し、検出された前記表示手段の表示画面上における前記記録媒体の位置に前記記録媒体から受け取ったデジタル情報に対応する表示情報を表示することを特徴とする情報表示方法。
【請求項１２】
前記表示装置において前記記録媒体から受け取ったデジタル情報に対応する表示情報を表示する際に、検出された前記表示手段の表示画面上における前記記録媒体の位置に前記表示情報を表示するか、あるいは前記位置に関係なく表示するかを切り替える機能を有していることを特徴とする請求項１１に記載の情報表示方法。
【請求項１３】
前記記録媒体は、デジタル情報を記憶する記憶手段を含み携行可能な可搬手段と、前記表示装置との通信及びユーザからの操作指示を受け付ける補助手段とが分離可能に構成されていることを特徴とする請求項１０ないし請求項１２のいずれか１項に記載の情報表示方法。
【請求項１４】
前記補助手段には、複数の可搬手段を装着可能であることを特徴とする請求項１３に記載の情報表示方法。
【請求項１５】
前記補助手段に複数の可搬手段が装着され、前記表示手段への表示を行う操作指示を受け付けると、それぞれの前記可搬手段中の前記記憶手段に記憶されているデジタル情報を一括して前記補助手段から前記表示装置に送信し、前記表示装置にそれぞれのデジタル情報に対応する表示情報を表示することを特徴とする請求項１４に記載の情報表示方法。
【請求項１６】
前記補助手段に複数の可搬手段が装着され、前記表示手段への表示を行う操作指示を受け付けた場合に、それぞれの前記可搬手段中の前記記憶手段に記憶されているデジタル情報をユーザからの操作指示に従って順に前記保持手段から前記表示装置に送信し、前記表示装置は受け取ったデジタル情報に対応する表示情報により表示を順次変更してゆくことを特徴とする請求項１４に記載の情報表示方法。
【請求項１７】
前記補助手段に複数の可搬手段が装着され、前記表示装置に複数の表示情報が表示されている状態で、操作指示として表示情報の読み出しが指示されたときには、前記補助手段から前記表示装置へ操作指示を送るとともに、前記補助手段は前記表示装置から前記複数の表示情報に対応するデジタル情報を受け取って、それぞれの表示情報に対応するデジタル情報ごとにそれぞれの可搬手段中の記憶手段に書き込むことを特徴とする請求項１４に記載の情報表示方法。
【請求項１８】
前記記録媒体は表示情報の表示を行う媒体表示手段を有しており、前記記憶手段に記憶されているデジタル情報に対応する表示情報が前記媒体表示手段に表示されることを特徴とする請求項１０ないし請求項１７のいずれか１項に記載の情報表示方法。
【発明の詳細な説明】
【技術分野】
【０００１】
本発明は、１ないし複数の表示情報が表示された表示装置と、可搬性を有する記録媒体との間の表示情報の転送が可能な情報表示システム及び情報表示方法に関するものである。
【背景技術】
【０００２】
一般に表示装置には各種の表示情報を表示させることができ、近年は複数の表示情報を１つの表示画面に表示させることもごく普通に行われている。たとえば多数の表示情報を１つの表示画面に表示している場合に、そのうちの特定の表示情報について、他の媒体にコピーしようとする場合、マウスなどのポインティングデバイスによって表示画面上のコピーしようとする表示情報を選択し、また必要に応じてコピー先となる媒体を指示した後、コピーを指示することになる。このとき用いるポインティングデバイスは、たとえばマウスなどでは、表示画面とは別の場所で操作を行うことになり、間接的に表示情報を選択することになる。そのため、不慣れなユーザにとっては表示情報の特定が困難であり、より簡便で直接的なユーザインタフェースの開発が望まれている。
【０００３】
例えば特許文献１には、複数の表示領域を設けて複数の表示情報を表示する情報ボードが記載されている。この情報ボードのそれぞれの表示領域ごとに非接触ＩＣとの通信を行うリーダライタが設けられている。そして、非接触ＩＣを内蔵したＰＤＡ端末を１つのリーダライタにかざすことによって、特定の表示領域に表示されている表示情報の詳細が別の通信機能によって情報ボードからＰＤＡ端末に転送される。この場合、情報ボードの表示画面はあらかじめ複数の表示領域に分割されており、またそれぞれの表示領域に対応してリーダライタを設置しなければならないため、表示可能な表示情報の数や配置は固定されてしまう。また、そのように分割された表示領域を有する表示装置にしか適用できず、表示画面中に自由に表示情報を表示し、また自由なレイアウトで表示されている表示情報の中から所望の表示情報を選択することはできない。さらに、ＰＤＡ端末などに記憶されている情報を、情報ボードなどの表示装置に表示させることはできない。
【０００４】
また、例えば特許文献２や特許文献３、特許文献４には、ＩＣカード等に記録されている内容を読み出して液晶表示部に表示することが記載されている。また、特許文献５には、ＩＣメモリカード上に液晶表示器を設け、記録されたファイルのインデックス情報を表示することが記載されている。さらに特許文献６には、ＩＣカードに記録された内容から複数のアプリケーション名を読み出し、この読み出した複数のアプリケーション名を表示部に表示し、利用者はこの表示画面においてアプリケーションを選択し、アプリケーションのデータをＩＣカードから読み出し、表示する技術が記載されている。しかし、これらの技術はいずれもＩＣメモリの情報を出力する際の表示、選択に関するものであり、複数の表示情報から直感的に所望の表示情報を選択し、また直感的に情報を表示させるような要求には答えられない。
【０００５】
【特許文献１】特開２００３−８５６５９号公報
【特許文献２】特開２０００−１０５７９号公報
【特許文献３】特開２０００−２０６５７号公報
【特許文献４】特開２０００−２０６５８号公報
【特許文献５】特開平１０−２７５２０８号公報
【特許文献６】特開平１０−２１４１７９号公報
【発明の開示】
【発明が解決しようとする課題】
【０００６】
本発明は、上述した事情に鑑みてなされたもので、表示画面上に配置されている１ないし複数の表示情報のうちから、所望の表示情報を直感的にかつ簡易に選択し、また直感的にかつ簡易に情報を表示させることが可能な情報表示システムおよび情報表示方法を提供することを目的とするものである。
【課題を解決するための手段】
【０００７】
本発明の情報表示システムは、可搬性の記録媒体と、１ないし複数の表示情報を表示可能な表示装置を含んでいる。記録媒体は、表示装置との通信を行う媒体側通信手段と、デジタル情報を記憶する記憶手段と、ユーザによる操作指示を受け取る操作手段を有している。さらに媒体表示手段を有していて良い。また表示装置は、１ないし複数の表示情報を表示画面上に表示する表示手段と、記録媒体との通信を行う通信手段と、表示手段の表示画面上における記録媒体の位置を検出する位置検出手段と、制御手段を有している。制御手段は、記録媒体から通信手段を通じて操作指示として表示情報の読み出しの指示を受け取ったとき、位置検出手段によって検出された記録媒体の位置に表示されている表示情報に対応するデジタル情報を記録媒体へ通信手段から送信するように制御する。また、記録媒体から通信手段を通じて操作指示として表示手段への表示の指示を受け取ったときには、同じく記録媒体から受け取ったデジタル情報に対応する表示情報を位置検出手段によって検出された表示手段の表示画面上における記録媒体の位置に表示するように制御する。このとき、表示情報を位置検出手段によって検出された表示手段の表示画面上における記録媒体の位置に表示するか、あるいは、検出された位置に関係なく表示するかを切り替え可能に構成してもよい。
【０００８】
そして、表示装置の表示画面上に記録媒体がかざされ、記録媒体に設けられている操作手段がユーザからの操作指示を受け取ると、記録媒体はその操作指示を表示装置へ送信する。表示装置は、記録媒体からの操作指示を受け取るとともに、表示装置の表示画面上における記録媒体の位置を位置検出手段により検出する。そして、受け取った操作指示が表示情報の読み出しの指示であれば、位置検出手段によって検出された記録媒体の位置に表示されている表示情報に対応するデジタル情報を記録媒体へ通信手段から送信する。記録媒体では、受け取ったデジタル情報の全部または一部を記憶手段に記憶する。また記録媒体に媒体表示手段が設けられている場合には、受け取ったデジタル情報により媒体表示手段を更新する。これによって、表示装置に表示されていた所望の表示情報を、そのまま記録媒体に表示させることができる。また記録媒体が可搬性を有することから、その表示情報を携行することが可能となる。
【０００９】
また、表示装置が記録媒体から受け取った操作指示が表示手段への表示の指示を受け取ったときには、同じく記録媒体から受け取ったデジタル情報に対応する表示情報を、位置検出手段によって検出された表示手段の表示画面上における記録媒体の位置に表示する。これによって、記録媒体がかざされた表示画面上の位置に、記録媒体に記録されているデジタル情報に対応する表示情報を表示させることができる。例えば記録媒体が媒体表示手段を有している場合、媒体表示手段に表示されている内容を表示装置の表示画面上の任意の位置に転写することができる。
【００１０】
なお記録媒体は、記憶手段を含み携行可能な可搬手段と、媒体側通信手段及び前記操作手段を含む補助手段とが分離可能に構成することができる。これによって、携行する際には可搬手段のみとし、表示装置とともに利用する際には補助手段を装着して利用すればよい。これによって、操作手段などの表示装置とともに利用する部分については携行しなくてもよく、利便性を向上させることができる。
【００１１】
さらに、補助手段には複数の可搬手段を装着可能に構成することができる。補助手段に複数の可搬手段を装着した場合、例えば表示装置の表示手段への操作指示が与えられたときには、記録媒体から表示装置に対して、それぞれの可搬手段中の記憶手段に記憶されているデジタル情報を一括して送信するように構成することができる。あるいは、それぞれの可搬手段中の記憶手段に記憶されているデジタル情報を、操作手段が受け取ったユーザからの操作指示に従って順に表示装置に送信して、表示装置の表示を順次変更させるように構成することができる。これによって、複数の可搬手段に記憶されているデジタル情報に対応する表示情報を、ページをめくっているような感覚で表示させてゆくことができる。
【００１２】
また、補助手段に複数の可搬手段が装着されており、表示装置の表示手段に複数の表示情報が表示されている場合に、操作指示として表示情報の読み出しの指示を受けると、補助手段は表示装置から表示されている複数の表示情報に対応するデジタル情報を受け取って、それぞれの表示情報に対応するデジタル情報ごとにそれぞれの可搬手段中の記憶手段に書き込むように構成することができる。
【発明の効果】
【００１３】
本発明によれば、上述のように記録媒体を表示装置の表示画面上にかざして操作手段を操作するなど、直接的かつ簡易な方法によって、表示されている複数の表示情報のうちから所望の表示情報を選択して対応するデジタル情報を記録媒体に転送し、また逆に、記録媒体に記憶されているデジタル情報に対応する表示情報を表示装置の所望の位置に表示させることができる。従って、一般に用いられているような１画面の表示装置にマルチウインドウのような形式で多数の表示情報が表示されているような場合でも、所望の表示情報を簡単に取得し、また表示させることができるという効果がある。
【発明を実施するための最良の形態】
【００１４】
図１は、本発明の実施の一形態を示すブロック図である。図中、１は記録媒体、２は表示装置、１１は媒体表示部、１２は記憶部、１３は媒体側通信部、１４は操作部、２１は表示装置側通信部、２２は表示制御部、２３は表示部、２４は位置検出部である。
【００１５】
記録媒体１は可搬性を有し、ユーザが持ち運んだり、持って操作することが可能である。記録媒体１の機能として、情報を記憶する機能、および、記憶している情報を外部とやりとりする通信機能を有している。また、種々の操作を指示するための操作機能を有している。さらにこの例では、表示機能を有している。記録媒体１としては、このような機能を有していればどのような装置であってもよい。一例としては、媒体表示部１１として説明する各種の表示媒体に非接触ＩＣメモリを搭載したものが好ましい。そのほかにも、例えばＰＤＡ、携帯電話など、種々の携帯端末等であってもよい。また、例えばＩＣカードなどのように表示機能を有しない媒体であってもよい。この例における記録媒体１は、媒体表示部１１、記憶部１２、媒体側通信部１３、操作部１４等を含んで構成される。なお、後述するように、媒体表示部１１及び記憶部１２を含む可搬部分と、媒体側通信部１３及び操作部１４を含む補助部分とに分離可能として構成することができ、可搬部分をユーザが携行するように構成することもできる。
【００１６】
媒体表示部１１は、可搬性を有する記録媒体１において情報を表示する表示媒体である。この表示媒体としては、書き換え可能でメモリ性を有するものを用いるとよい。メモリ性を有していれば、書き換え時には電力が必要であるものの、表示し続けるためには無電源でよく、可搬性の記録媒体１としては最適である。例えばトナーディスプレイや、電気泳動型、光書き込み型の電子ペーパーなどを用いるとよい。もちろんこのほかにも、液晶ディスプレイ、フォトクロミックディスプレイなど、種々の表示方式の表示媒体を用いることができる。なお、この媒体表示部１１を設けない構成も可能である。
【００１７】
記憶部１２は、各種の情報を記憶することができ、その一つとして媒体表示部１１に表示されている情報またはその情報を特定するアドレス情報などがデジタル情報として書き込まれ、記憶している。このほかにも、例えば記録媒体１を識別するためのＩＤ情報や、この記録媒体１を使用する人の使用者情報など、様々な情報を書き込んで記憶させておくことができる。
【００１８】
媒体側通信部１３は、外部の装置（ここでは表示装置２）と通信を行う。この媒体側通信部１３を用いて、表示装置２からデジタル情報を受け取ったり、記憶部１２に記憶されているデジタル情報を送信することができる。また、操作部１４で受け取ったユーザからの操作指示を外部の装置（表示装置２）へ送信することも行う。この媒体側通信部１３としては種々の通信方式を利用することができ、例えば電気的に接続されるインタフェースを用いてもよいし、電磁気的あるいは可視光または赤外線などによる非接触のインタフェースなどを用いることができる。例えば非接触ＩＣを用いる場合、記憶部１２と媒体側通信部１３が一体となったものと考えることができる。この場合の通信方式としてはＩＳＯ１４４４３，ＩＳＯ１５６９３にて規格化されているような１３．５６ＭＨｚの通信周波数、あるいは２．４ＧＨｚ帯、赤外線、１２５ｋＨｚ、４．９ｋＨｚなど、いずれの周波数を用いてもよい。もちろん、これらに限られるものではない。なお、図２に示した例は、このように記憶部１２及び媒体側通信部１３となる非接触ＩＣを搭載した例を示している。
【００１９】
操作部１４は、ユーザが記録媒体１を表示装置２にかざした時に、どのような操作を行うかを示す操作指示を受け付ける。ここでは、例えば表示装置２に表示されている表示情報を読み出す操作指示や、記録媒体１の記憶部１２に記憶されているデジタル情報に対応する表示情報の表示手段へ表示させる操作指示を行うことができる。もちろん、このほかにも種々の操作指示を行うことができるように構成することができる。操作指示を受け付けるための構成は任意である。例えば操作ボタンや操作スイッチを設けたり、センサによりユーザの操作を検出する構成であっても良い。例えばタッチセンサや圧電素子による構成なども可能である。
【００２０】
表示装置２は、一般に用いられている１ないし複数の表示部２３を有し、表示部２３に１ないし複数の表示情報を例えばマルチウインドウなどの形式で任意に配置して表示することができるものである。この例では表示装置２は、表示装置側通信部２１、表示制御部２２、表示部２３、位置検出部２４などを含んで構成されている。
【００２１】
表示装置側通信部２１は、記録媒体１の媒体側通信部１３と通信して、記録媒体１に対して表示情報に対応するデジタル情報を送信したり、記録媒体１から記録媒体１の記憶部１２に記憶されている各種の情報や記録媒体１の操作部１４でユーザから受け取った操作指示を受信する。通信方式は上述の記録媒体１の媒体側通信部１３と同じ通信方式である。もちろん、複数の通信方式に対応していてもよい。また、この表示装置側通信部２１を複数設け、通信品質を向上させることもできる。なお、表示装置側通信部２１を複数設けた場合でも、それぞれの表示装置側通信部２１が表示部２３に表示されているそれぞれの表示情報に対応するものではない。
【００２２】
表示制御部２２は、表示部２３に１ないし複数の表示情報を表示させる。また、記録媒体１から表示装置側通信部２１を通じて操作指示を受け取り、その操作指示に従って各種の処理を行う。例えば、操作指示として表示情報の読み出しの指示を受け取ったときには、位置検出部２４によって検出した記録媒体１の位置に表示されている表示情報に対応するデジタル情報を、記録媒体１へ表示装置側通信部２１から送信する。また、例えば操作指示として表示部２３への表示の指示を受け取ったときには、同じく記録媒体１から受け取ったデジタル情報に対応する表示情報を、位置検出部２４によって検出した表示部２３の表示画面上における記録媒体１の位置に表示するように制御する。なお、デジタル情報としては、表示情報そのものや、表示情報の表示イメージ、表示情報を特定するためのアドレス情報、あるいはこれらの組み合わせとすることができる。もちろん、その他の種々の情報を含めてもよい。
【００２３】
表示部２３は、表示制御部２２による制御に従って１ないし複数の表示情報を任意の位置に表示することができる。表示部２３として用いる表示方式は任意であり、ＣＲＴ、ＬＣＤ、プラズマディスプレイなど、各種の表示方式を採用することができる。なお、表示部２３として１画面に限らず複数画面を有する構成でもよいが、この場合には表示情報は１画面に１つに限られるものではなく、また、例えば複数画面にまたがって１つの表示情報が表示されてもよい。
【００２４】
位置検出部２４は、表示部２３の表示画面における記録媒体１の位置を検出する。例えば、超音波表面弾性波方式、赤外線走査方式、５線式抵抗膜方式等、種々の検出方法を用いることができる。また、記録媒体１のどの部分の位置を検出するかも任意であり、例えば記録媒体１に位置マーカを付加しておいて、その位置マーカの位置を検出することができる。あるいは、記録媒体１の特定の位置や形状などを検出してもよい。または、媒体側通信部１３の位置を検出してもよい。
【００２５】
図２は、本発明の実施の一形態における利用態様の一例の説明図である。図２に示す例では、表示装置２の表示部２３には、４つの表示情報が表示されている。また、表示部２３の周囲には位置検出部２４が設けられており、記録媒体１が表示画面上にかざされた場合に、その２次元座標を求める。さらに、この例では表示装置側通信部２１を１つ設けている。
【００２６】
また操作部１４として、この例では「書込」ボタンと「読出」ボタンが設けられている。「読出」ボタンの操作は、表示装置２の表示部２３に表示されている表示情報に対応するデジタル情報を取得して記録媒体１の記憶部１２に記憶させることを指示する操作指示となる。また、「書込」ボタン操作は、記録媒体１の記憶部１に記憶されているデジタル情報に対応する表示情報を表示部２３へ表示させることを指示する操作指示となる。もちろん、このほかの各種の操作指示が行えるように構成することができる。
【００２７】
図３は、本発明の実施の一形態における記録媒体１の別の例の説明図である。図中、３１は可搬媒体、３２はアダプタである。記録媒体１の構成は、例えば図３に示すようにユーザが実際に携行するための可搬媒体３１の部分と、表示装置２とともに用いる際に利用するアダプタ３２（補助部分）とに分離可能に構成することができる。図１に示した記録媒体１の構成中、媒体側通信部１３及び操作部１４は、表示装置２とともに利用する構成であり、それ以外の時には不要な構成である。従って、媒体側通信部１３及び操作部１４についてはアダプタ３２に含め、表示装置２とともに利用する際にアダプタ３２を可搬媒体３１に装着して用いるようにしている。また、可搬媒体３１の部分には、媒体表示部１１及び記憶部１２が含まれる。これによって、最小限の構成のみを持ち歩くことができ、利便性を向上させ、またコストダウンを図ることができる。上述のように媒体表示部１１としてメモリ性を有するものを用いることによって、表示内容はいつでも参照することができる。
【００２８】
なお記録媒体１では、上述のように記憶部１２にデジタル情報を書き込んだり読み出したりする場合に、また媒体表示部１１の表示を書き換える場合に、外部電源が必要な場合がある。アダプタ３２として、外部電源を供給するための構成を付加し、可搬媒体３１へのアダプタ３２の装着によって、上述のような通信機能及び操作機能とともに電源供給機能を実現するように構成することができる。この場合、電源線を利用して通信を行ったり、あるいは電源線とともに信号線を接続して、表示装置２と記録媒体１間で有線による通信を行うように構成してもよい。
【００２９】
また、このようなアダプタ３２に複数の可搬媒体３１を装着できるように構成することも可能である。複数の可搬媒体３１をアダプタ３２に装着した場合の動作については後述する。なお、可搬媒体３１とアダプタ３２の接続方法としては、種々の公知の方法を適用することができる。また、図３に示した構成は一例であって、例えば媒体側通信部１３も可搬媒体３１に搭載するなど、種々の変形も可能である。
【００３０】
位置検出部２４について、図２に示した例以外のいくつかの具体例を示す。図４は、位置検出部２４として光学的検出手段を用いた構成例の説明図である。この例では、表示部２３の表示画面の２つの隅に、光学的に位置を検出する検出手段を設けている。また記録媒体１には、発光体あるいは反射マーカーなどを設けておく。例えば図３に示したように記録媒体１が可搬媒体３１とアダプタ３２とが分離可能に構成されている場合にはアダプタ３２に設けておけばよい。そして、上述の２つの検出手段において、記録媒体１に設けた発光体や反射マーカーなどからの光量を検出する。これによって、表示部２３の表示画面上の位置を検出することができる。なお、反射マーカーを用いた場合、特定の光源を用意しておき、反射マーカーで反射された光源からの光を位置検出部２４で受光するように構成すればよい。このような位置検出手段は、例えば特開２００２−１４７６３号公報などに記載されている構成などを用いることができる。
【００３１】
図５は、位置検出部２４を４隅に設けた構成例の説明図である。図５に示すように、位置検出部２４を４隅（あるいは３隅）に設けてもよい。ここでは一例として、位置検出部２４として電磁的な強度を検出できる検出器を配しているものとしている。そして、記録媒体１の媒体側通信部１３から放射される電磁波の強度を検出し、その強度から記録媒体１の位置を求める。この場合、記録媒体１には位置マーカーのような位置検出のための特別な構成は不要である。また、このような位置検出部２４として用いる検出器は、表示装置側通信部２１と共用することができ、位置検出部２４としての検出器を設けずに構成することも可能である。
【００３２】
図６は、表示部２３の表示画面上に位置検出部２４を配置した構成例の説明図である。例えばタッチパネルやデジタイザなどで利用されている位置検出手法を位置検出部２４として用いることができる。例えば静電式であれば、位置マーカーとして金属片を用い、ユーザの手と電気的に接続を図っておけばよい。また、圧電式であれば、位置検出部２４（表示部２３の表面）をユーザが記録媒体１で押圧できる部分が記録媒体１に備えられていればよい。さらに、磁歪式であれば、磁石を記録媒体１に設ければよい。さらには、図５で説明した場合と同様に、記録媒体１の媒体側通信部１３から放射される電磁波を検出する検出器を２次元状に配置しておく構成でもよい。
【００３３】
もちろん図２〜図６に示したのは一例であって、位置検出部２４における位置検出方法はこれらに限られるものではなく、種々の公知の手法を適用することができる。また、その位置検出方法に対応する位置マーカーなどの手段を適宜記録媒体１に設けておくことができる。
【００３４】
図７は、本発明の実施の一形態における動作の一例の説明図である。図中、４１〜４４は表示情報である。図７に示した例では、表示装置２の表示部２３には、複数の表示情報４１〜４４が表示されている。ここで、ユーザは表示情報４１を記録媒体１に取り出し、表示させたいと考えているものとする。従来は記録媒体１を表示装置２とは別の書き込み装置にセットし、また表示装置２とは別の例えばマウスなどによって表示情報４１を選択し、書き込みを指示することになる。このように従来は、表示装置２，記録媒体１，指示を行うためのマウスなどがそれぞれ別の場所に設置され、操作することになっていた。本願発明では、ユーザは、記録媒体１を持って、表示装置２の表示画面に表示されている所望の表示情報４１に記録媒体１をかざすという、直接的かつ簡便な操作を行えばよい。
【００３５】
例えば図３に示したように、可搬媒体３１とアダプタ３２が着脱可能に構成されている場合には、まず可搬媒体３１をアダプタ３２に装着する。もちろん、一体型の記録媒体１であれば、そのような操作は不要である。
【００３６】
そして、図７（Ａ）に示す記録媒体１を、図７（Ｂ）に示すように表示情報４１が表示されている表示画面上の領域に近接させ、あるいは密着または軽く押圧させ、記録媒体１の操作部１４を操作して読み出しの操作指示を行えばよい。この操作指示によって、記録媒体１の媒体側通信部１３から表示装置２に対して読み出しの操作指示が送信される。この読み出しの操作指示は、表示装置２の表示装置側通信部２１で受信され、表示制御部２２に渡される。
【００３７】
表示装置２に記録媒体１がかざされると、表示装置２の位置検出部２４は、記録媒体１の位置を検出し、表示制御部２２に知らせる。表示制御部２２は、記録媒体１からの操作指示が読み出しの操作指示である場合、位置検出部２４で検出した表示画面上の記録媒体１の位置をもとに、その位置に表示している表示情報４１を特定する。そして、表示情報４１そのもの、あるいは表示情報４１の表示イメージなどのような加工した情報や、表示情報４１を特定するためのアドレス情報などの情報をデジタル情報として表示装置側通信部２１から送信する。
【００３８】
表示装置２の表示装置側通信部２１から送信されたデジタル情報は記録媒体１の媒体側通信部１３によって受信される。そしてデジタル情報そのもの、あるいは内部で適宜加工し、記憶部１２に格納する。また、例えば媒体表示部１１を有している場合には、受信したデジタル情報に従って媒体表示部１１の表示を更新する。これによって、図７（Ｃ）に示すように、表示装置２に表示されていた表示情報４１が表示媒体１の媒体表示部１１に転写されることになる。
【００３９】
このようにして、表示装置２に表示されている１ないし複数の表示情報の中から、所望する表示情報を記録媒体１に取り込み、さらに媒体表示部１１を有している場合にはその表示情報を表示させることができる。記録媒体１は可搬性を有しているため、表示情報を取り込んだ記録媒体１はそのまま持ち運ぶことができる。このとき、例えば図３に示したように、可搬媒体３１とアダプタ３２が着脱可能に構成されている場合には、可搬媒体３１の部分のみを持ち運べばよい。例えば表示装置２に表示されている所望の情報を記録媒体１に取り込み、そのまま他の場所で参照するといった利用が可能である。さらに、記録媒体１の媒体表示部１１がメモリ性を有していれば、表示情報による表示の更新時には電力を必要とするものの、その後は無電源で表示し続けることができる。記憶部１２についても、不揮発性のメモリを用いることによって、情報を無電源で記憶し続けることが可能である。
【００４０】
図８は、本発明の実施の一形態における動作の別の例の説明図である。図７に示した例では表示装置２に表示されている表示情報を記録媒体１に取り込む例を示したが、逆に、記録媒体１の記憶部１２に記憶されているデジタル情報に対応する表示情報を表示装置２に表示させることも可能である。この場合には、ユーザは、表示装置２の表示画面上の表示情報を表示させたい位置に記録媒体１をかざし、記録媒体１の操作部１４を操作して書き込みの操作指示を行えばよい。このような直接的かつ簡便な操作をユーザが行うだけでよい。
【００４１】
ここでは、あらかじめ記録媒体１の記憶部１２にデジタル情報が格納されているものとする。また、図８に示す例では、記憶部１２に記憶されているデジタル情報に対応する表示情報が媒体表示部１１に表示されている。なお、例えば図３に示したように、可搬媒体３１とアダプタ３２が着脱可能に構成されている場合には、まず可搬媒体３１をアダプタ３２に装着する。もちろん、一体型の記録媒体１であれば、そのような操作は不要である。
【００４２】
ユーザは、図８（Ａ）に示す表示情報があらかじめ格納されている記録媒体１を、図８（Ｂ）に示すように表示画面上の表示情報を表示させたい位置に近接させ、あるいは密着または軽く押圧させ、記録媒体１の操作部１４を操作して書き込みの操作指示を行う。この操作指示によって、記録媒体１の媒体側通信部１３から表示装置２に対して書き込みの操作指示が送信されるとともに、あるいはその後に、記憶部１２に記憶されているデジタル情報が表示装置２に対して送信される。この書き込みの操作指示及びデジタル情報は、表示装置２の表示装置側通信部２１で受信され、表示制御部２２に渡される。
【００４３】
表示制御部２２は、記録媒体１からの操作指示が書き込みの操作指示である場合、表示装置側通信部２１で受け取ったデジタル情報を元に表示イメージを作成する。このとき、例えばデジタル情報として表示情報のアドレス情報が送られてきた場合には、そのアドレス情報に従って表示情報を内部の記憶手段あるいは外部の装置からネットワークなどを介して取得する。また、デジタル情報として表示イメージが送られてきた場合には、そのまま利用してもよいし、表示装置２の表示部２３の表示能力にあわせて適宜加工してもよい。
【００４４】
また、表示装置２に記録媒体１がかざされると、表示装置２の位置検出部２４は、記録媒体１の位置を検出し、表示制御部２２に知らせる。表示制御部２２は、位置検出部２４で検出した表示画面上の記録媒体１の位置に応じて、表示部２３に表示イメージを表示させる。このようにして、記録媒体１の記憶部１２に格納されていたデジタル情報を表示装置２に表示させることができる。例えば別のコンピュータで作成した表示情報を図７で説明したようにして記録媒体１に取り込んでおき、その記録媒体１を持ってきて表示装置２に表示させるといったことが可能である。
【００４５】
なお、上述のように記録媒体１に格納されているデジタル情報を表示装置２に表示させる際に、記録媒体１の表示画面上の位置に応じて表示させるか、あるいは記録媒体１の位置に関係なくウィンドウ表示や全画面表示を行うかを設定できるように構成することも可能である。この場合の設定は、表示装置２で行うほか、記録媒体１の操作部１４に設定操作を行うための手段を設けておけばよい。また、例えば表示装置２の表示画面上に記録媒体１をかざした位置により、その位置に表示情報が表示されていれば表示装置２から記録媒体１へ、またその位置に表示情報が存在しなければ記録媒体１から表示装置２へのデジタル情報の転送を行うように構成し、記録媒体１の操作部１４からは、その操作の開始を指示するように構成することもできる。
【００４６】
また、上述のような表示情報のやりとりだけに限らず、記録媒体１を用いてライトペンやマウスなどの従来のポインティングデバイスと同様に種々の操作が可能なように構成することもできる。
【００４７】
上述の図３に示したように可搬媒体３１とアダプタ３２が着脱可能に構成されている場合には、アダプタ３２に複数の可搬媒体３１を装着することができるように構成することもできる。この場合、複数の可搬媒体３１の記憶部１２にそれぞれ記憶されているデジタル情報を表示装置２に表示させたり、あるいは、表示装置２に表示されている複数の表示情報に対応するデジタル情報をそれぞれ可搬媒体３１の記憶部１２に記憶させることが可能である。以下、このように複数の可搬媒体３１を装着した場合について説明する。
【００４８】
図９は、本発明の実施の一形態において複数の可搬媒体３１を用いる場合の第１の動作例の説明図である。図９に示した例では、それぞれの可搬媒体３１の記憶部１２に記憶されているデジタル情報を表示装置２に表示させる例を示している。図９（Ａ）に示すように、それぞれの可搬媒体３１中の記憶部１２には、それぞれのデジタル情報が記憶されており、対応する表示情報が媒体表示部１１に表示されている。
【００４９】
これらの複数の可搬媒体３１をアダプタ３２にセットし、図９（Ｂ）に示すように表示装置２の表示画面上にかざして、アダプタ３２に設けられている操作部１４から書き込みを操作指示する。すると、アダプタ３２内の媒体側通信部１３から書き込みの操作指示が表示装置２に送られる。それとともに、アダプタ３２にセットされている複数の可搬媒体３１内の記憶部１２から、それぞれデジタル情報を読み出して、アダプタ３２内の媒体側通信部１３から表示装置２へ送る。
【００５０】
表示装置２では、記録媒体１から書き込みの操作指示と複数のデジタル情報を受け取り、それぞれのデジタル情報に対応する表示情報を表示部２３に表示させる。このときの表示位置は、例えば位置検出部２４で検出した記録媒体１の表示画面上の位置を基準として決定することができる。もちろん、検出位置にかかわらず表示しても良い。また、表示形態は、それぞれのデジタル情報に対応する表示情報をそれぞれ異なるウィンドウとして一部重ねて表示するほか、可能であればそれぞれの表示情報が重ならないように並べて表示するなど、任意の表示携帯で表示することができる。また、表示形態は予め、あるいは記録媒体１の操作部１４から設定できるように構成してもよい。図９（Ｃ）では、それぞれの表示情報が重ならないように表示した例を示している。
【００５１】
このようにして、複数の可搬媒体３１が存在する場合、それらに記憶されているデジタル情報に対応する表示情報を表示装置２に一括して表示させることができる。その場合も、非常に簡単かつ直感的な操作によって行うことができる。
【００５２】
図１０は、本発明の実施の一形態において複数の可搬媒体３１を用いる場合の第２の動作例の説明図である。上述の図９に示した動作例では、複数の可搬媒体３１に記憶されているデジタル情報を一括して表示装置２に表示させた。このように一括して表示させるほか、この第２の動作例のように順に表示させることもできる。この場合、アダプタ３２の操作部１４には、表示を順に送るための「次」ボタンや「前」ボタンなどを設けておく。
【００５３】
図１０（Ａ）に示すように、それぞれの可搬媒体３１中の記憶部１２には、それぞれのデジタル情報が記憶されており、対応する表示情報が媒体表示部１１に表示されている。これらの複数の可搬媒体３１をアダプタ３２にセットし、図１０（Ｂ）に示すように表示装置２の表示画面上にかざして、アダプタ３２に設けられている操作部１４から「次」ボタンなどを操作する。すると、アダプタ３２内の媒体側通信部１３から書き込みの操作指示が表示装置２に送られるとともに、アダプタ３２にセットされている複数の可搬媒体３１のうちから１枚の可搬媒体３１を選択し、その選択した可搬媒体３１内の記憶部１２からデジタル情報を読み出して、アダプタ３２内の媒体側通信部１３から表示装置２へ送る。選択する可搬媒体３１は、例えば一番上や一番下、あるいはランダムなど、予め決められた順に、あるいは設定に応じて行うことができる。もちろん、何枚目といった直接的な可搬媒体３１を特定する指示を受けても良い。
【００５４】
表示装置２では、記録媒体１から書き込みの操作指示とデジタル情報を受け取り、デジタル情報に対応する表示情報を位置検出部２４で検出した記録媒体１の表示画面上の位置に表示する。これによって図１０（Ｃ）に示すように、アダプタ３２にセットされた複数の可搬媒体３１のうちの１枚の記憶部１２に記憶されているデジタル情報が表示装置２に表示されることになる。
【００５５】
その後、図１０（Ｄ）に示すように再び記録媒体１を表示装置２の表示画面にかざし、アダプタ３２に設けられている操作部１４から「次」ボタンなどを操作する。すると、アダプタ３２内の媒体側通信部１３から書き込みの操作指示が表示装置２に送られるとともに、アダプタ３２にセットされている複数の可搬媒体３１のうちから次の１枚の可搬媒体３１を選択し、その選択した可搬媒体３１内の記憶部１２からデジタル情報を読み出して、アダプタ３２内の媒体側通信部１３から表示装置２へ送る。
【００５６】
表示装置２では、記録媒体１から書き込みの操作指示とデジタル情報を受け取り、デジタル情報に対応する表示情報を位置検出部２４で検出した記録媒体１の表示画面上の位置に表示する。これによって図１０（Ｅ）に示すように、アダプタ３２にセットされた複数の可搬媒体３１のうちの次の１枚の記憶部１２に記憶されているデジタル情報が表示装置２に表示されることになる。
【００５７】
このようにして、複数の可搬媒体３１中の記憶部１２に記憶されているデジタル情報を表示装置２に順に表示させて行くことができ、ページをめくっているような感覚で表示させてゆくことができる。なお、上述のように表示を順に更新してゆく場合には、最初に表示を行った位置を記憶しておくことによって、次に表示する表示情報を同じ位置に表示するように構成することができる。さらに、上述の説明では表示の更新時にも記録媒体１を表示装置２の表示画面上に記録媒体１をかざすものとして説明したが、表示位置を表示装置２が記憶していれば、記録媒体１をかざさなくても通信が行える範囲であれば表示内容の変更を行ってゆくことができる。
【００５８】
また、このような表示方法を行う場合、先に表示していた表示情報の表示は消去することになる。このような表示情報の更新を示すため、記録媒体１から表示装置２へ送信する操作指示として、書き込みの操作指示とは別に更新の操作指示を行うようにすると良い。
【００５９】
なお、図９に示したように複数の表示情報を並べて表示する表示方法と、図１０で説明した表示情報を順に更新してゆく表示方法とを選択できるように構成してもよい。選択は、記録媒体１の操作部１４で行ったり、あるいは表示装置２側で行うように構成することもできる。
【００６０】
図１１は、本発明の実施の一形態において複数の可搬媒体３１を用いる場合の第３の動作例の説明図である。図１１に示した例では、表示装置２の表示部２３に複数の表示情報が表示されている時、それぞれの表示情報を異なる可搬媒体３１の記憶部１２にそれぞれ記憶させる例を示している。図１１（Ａ）に示すように、表示装置２の表示部２３には複数の表示情報が表示されている。また、アダプタ３２には複数の可搬媒体３１がセットされている。
【００６１】
この記録媒体１を表示装置２の表示画面上にかざし、アダプタ３２に設けられている操作部１４から読み出しを操作指示する。すると、アダプタ３２内の媒体側通信部１３から読み出しの操作指示が表示装置２に送られる。
【００６２】
表示装置２では、記録媒体１から読み出しの操作指示を受け取ると、そのとき表示部２３に表示させている複数の表示情報について、それぞれ対応するデジタル情報を記録媒体１に送信する。
【００６３】
表示装置２から複数のデジタル情報を受け取った記録媒体１では、それぞれのデジタル情報について、それぞれ異なる可搬媒体３１の記憶部１２に記憶させるとともに可搬媒体３１の媒体表示部１１の表示を書き換える。これによって、図１１（Ｂ）に示すようにそれぞれの可搬媒体３１にはそれぞれ異なる表示情報に対応したデジタル情報が記憶され、対応する表示がなされることになる。
【００６４】
なお、この例においては位置検出部２４で検出した記録媒体１の表示画面上の位置を利用していないが、例えば表示装置２に表示されている表示情報の数よりもアダプタ３２にセットされている可搬媒体３１の数の方が少ない場合に、検出した位置に近い順に表示情報に対応するデジタル情報を記録媒体１に送るなどといった利用も考えられる。
【００６５】
また、図１１に示した例ではアダプタ３２にセットされている可搬媒体３１にそれぞれ異なる表示情報に対応するデジタル情報を書き込んだが、例えば同じ表示情報に対応するデジタル情報を書き込むように構成し、複数の複製物を得るといったことも可能である。また、このような書き込み方法を適宜選択可能に構成することもできる。
【図面の簡単な説明】
【００６６】
【図１】本発明の情報表示システム及び表示装置の実施の一形態を示すブロック図である。
【図２】本発明の情報表示システム及び表示装置の実施の一形態における利用態様の一例の説明図である。
【図３】本発明の実施の一形態における記録媒体１の別の例の説明図である。
【図４】位置検出部２４として光学的検出手段を用いた構成例の説明図である。
【図５】位置検出部２４を４隅に設けた構成例の説明図である。
【図６】表示部２３の表示画面上に位置検出部２４を配置した構成例の説明図である。
【図７】本発明の情報表示システム及び表示装置の実施の一形態における動作の一例の説明図である。
【図８】本発明の情報表示システム及び表示装置の実施の一形態における動作の別の例の説明図である。
【図９】本発明の実施の一形態において複数の可搬媒体３１を用いる場合の第１の動作例の説明図である。
【図１０】本発明の実施の一形態において複数の可搬媒体３１を用いる場合の第２の動作例の説明図である。
【図１１】本発明の実施の一形態において複数の可搬媒体３１を用いる場合の第３の動作例の説明図である。
【符号の説明】
【００６７】
１…記録媒体、２…表示装置、１１…媒体表示部、１２…記憶部、１３…媒体側通信部、１４…操作部、２１…表示装置側通信部、２２…表示制御部、２３…表示部、２４…位置検出部、３１…可搬媒体、３２…アダプタ、４１〜４４…表示情報。
【図１】
2005100050.tif 000003
【図２】
2005100050.tif 000004
【図３】
2005100050.tif 000005
【図４】
2005100050.tif 000006
【図５】
2005100050.tif 000007
【図６】
2005100050.tif 000008
【図７】
2005100050.tif 000009
【図８】
2005100050.tif 000010
【図９】
2005100050.tif 000011
【図１０】
2005100050.tif 000012
【図１１】
2005100050.tif 000013